(57)【要約】【課題】シートに形成された画像に基づいて動画像データを取得することが可能な動画像処理システム、画像形成装置、動画像取得プログラム、及び動画像処理方法を提供すること。【解決手段】抽出処理部１７１は、動画像データから複数の静止画像データＦ１を抽出する。生成処理部１７２は、前記複数の静止画像データＦ１に対応する複数の第１画像Ｐ１を含む第２画像Ｐ２を生成する。印刷制御部１７３は、第２画像Ｐ２を含む画像をシートＣ１に形成する。読取処理部２５１は、シートＣ１に形成された第２画像Ｐ２を読み取る。特定処理部２５２は、前記第２画像Ｐ２に含まれる第１画像Ｐ１各々に対応する静止画像データＦ１を特定する。取得処理部２５３は、前記静止画像データＦ１に応じた区間の前記動画像データを取得する。【選択図】図９
2019102961.tif 000002
【特許請求の範囲】
【請求項１】
画像形成装置と動画像取得装置とを備え、
前記画像形成装置は、
動画像データから複数の静止画像データを抽出する抽出処理部と、
前記複数の静止画像データに基づいて、当該複数の静止画像データに対応する複数の第１画像を含む第２画像を生成する生成処理部と、
前記第２画像を含む画像をシートに形成する印刷制御部とを備え、
前記動画像取得装置は、
前記シートに形成された前記第２画像を読み取る読取処理部と、
前記読取処理部により読み取られる前記第２画像に含まれる前記第１画像各々に対応する前記静止画像データを特定する特定処理部と、
前記特定処理部により特定される前記静止画像データに応じた区間の前記動画像データを取得する取得処理部とを備える、
動画像処理システム。
【請求項２】
前記第２画像には、当該第２画像に含まれる前記第１画像各々に対応する前記静止画像データを識別する静止画像識別情報が含まれ、
前記特定処理部は、前記読取処理部により読み取られる前記第２画像に含まれる前記静止画像識別情報に基づいて、前記第２画像に含まれる前記第１画像各々に対応する前記静止画像データを特定する、
請求項１に記載の動画像処理システム。
【請求項３】
前記生成処理部は、前記第２画像に含まれる個々の前記第１画像内に、対応する前記静止画像識別情報を、視認不可能又は視認困難な態様で配置する、
請求項２に記載の動画像処理システム。
【請求項４】
前記生成処理部は、前記第２画像において、前記動画像データにおける前記複数の静止画像データの並び順と同じ並び順で、当該複数の静止画像データに対応する前記複数の第１画像を配置する、
請求項１〜３のいずれかに記載の動画像処理システム。
【請求項５】
前記第２画像は、前記複数の第１画像をタイル状に配置したコラージュ画像である、
請求項１〜４のいずれかに記載の動画像処理システム。
【請求項６】
前記第２画像が、前記タイル状に配置された前記複数の第１画像が全体として特定の画像を示すモンタージュ画像である、
請求項５に記載の動画像処理システム。
【請求項７】
前記画像形成装置は、前記動画像データを前記サーバー装置にアップロードするアップロード処理部を更に備え、
前記動画像取得装置が、カメラと無線通信可能な通信インターフェースとを備える携帯型の情報処理装置であり、
前記読取処理部は、前記カメラで撮影された前記シートの画像から前記第２画像を読み取り、
前記取得処理部は、無線通信を通じて前記サーバー装置から前記動画像データを取得する、
請求項１〜６のいずれかに記載の動画像処理システム。
【請求項８】
動画像データから複数の静止画像データを抽出する抽出処理部と、
前記複数の静止画像データに基づいて、当該複数の静止画像データに対応する複数の第１画像を含む第２画像を生成する生成処理部と、
前記第２画像を含む画像をシートに形成する印刷制御部と、
を備える画像形成装置。
【請求項９】
一又は複数のプロセッサーに、
動画像データから抽出された複数の静止画像データに対応する複数の第１画像を含む第２画像が形成されたシートから前記第２画像を読み取る読取ステップと、
前記読取ステップで読み取られる前記第２画像に含まれる前記第１画像各々に対応する前記静止画像データを特定する特定ステップと、
前記特定ステップで特定される前記静止画像データに応じた区間の前記動画像データを取得する取得ステップと、
を実行させるための動画像取得プログラム。
【請求項１０】
動画像データから複数の静止画像データを抽出する抽出ステップと、
前記複数の静止画像データに基づいて、当該複数の静止画像データに対応する複数の第１画像を含む第２画像を生成する生成ステップと、
前記第２画像を含む画像をシートに形成する印刷ステップと、
前記シートに形成された前記第２画像を読み取る読取ステップと、
前記読取ステップで読み取られる前記第２画像に含まれる前記第１画像各々に対応する前記静止画像データを特定する特定ステップと、
前記特定ステップで特定される前記静止画像データに応じた区間の動画像データを取得する取得ステップと、
を含む動画像処理方法。
【発明の詳細な説明】
【技術分野】
【０００１】
本発明は、動画像処理システム、画像形成装置、動画像取得プログラム、及び動画像処理方法に関する。
【背景技術】
【０００２】
動画像データから抽出される複数の静止画像をインデックス画像としてシートに形成することが可能な画像処理装置が知られている（例えば、特許文献１参照）。
【先行技術文献】
【特許文献】
【０００３】
【特許文献１】特開２００５−２４４９３４号公報
【発明の概要】
【発明が解決しようとする課題】
【０００４】
しかしながら、前記画像処理装置では、シートに印刷されたインデックス画像に基づいて動画像データを取得することはできない。
【０００５】
本発明の目的は、シートに形成された画像に基づいて動画像データを取得することが可能な動画像処理システム、画像形成装置、動画像取得プログラム、及び動画像処理方法を提供することにある。
【課題を解決するための手段】
【０００６】
本発明の一の局面に係る動画像処理システムは、画像形成装置と動画像取得装置とを備える。前記画像形成装置は、抽出処理部と、生成処理部と、印刷制御部とを備える。前記抽出処理部は、動画像データから複数の静止画像データを抽出する。前記生成処理部は、前記複数の静止画像データに基づいて、当該複数の静止画像データに対応する複数の第１画像を含む第２画像を生成する。前記印刷制御部は、前記第２画像を含む画像をシートに形成する。前記動画像取得装置は、読取処理部と、特定処理部と、取得処理部とを備える。前記読取処理部は、前記シートに形成された前記第２画像を読み取る。前記特定処理部は、前記読取処理部により読み取られる前記第２画像に含まれる前記第１画像各々に対応する前記静止画像データを特定する。前記取得処理部は、前記特定処理部により特定される前記静止画像データに応じた区間の前記動画像データを取得する。
【０００７】
本発明の一の局面に係る画像形成装置は、抽出処理部と、生成処理部と、印刷制御部とを備える。前記抽出処理部は、動画像データから複数の静止画像データを抽出する。前記生成処理部は、前記複数の静止画像データに基づいて、当該複数の静止画像データに対応する複数の第１画像を含む第２画像を生成する。前記印刷制御部は、前記第２画像を含む画像をシートに形成する。
【０００８】
本発明の一の局面に係る動画像取得プログラムは、一又は複数のプロセッサーに、読取ステップと、特定ステップと、取得ステップとを実行させるための動画像取得プログラムである。前記読取ステップでは、動画像データから抽出された複数の静止画像データに対応する複数の第１画像を含む第２画像が形成されたシートから前記第２画像が読み取られる。前記特定ステップでは、前記読取ステップで読み取られる前記第２画像に含まれる前記第１画像各々に対応する前記静止画像データが特定される。前記取得ステップでは、前記特定ステップで特定される前記静止画像データに応じた区間の前記動画像データが取得される。
【０００９】
本発明の一の局面に係る動画像処理方法は、抽出ステップと、生成ステップと、印刷ステップと、読取ステップと、特定ステップと、取得ステップとを含む。前記抽出ステップでは、動画像データから複数の静止画像データが抽出される。前記生成ステップでは、前記複数の静止画像データに基づいて、当該複数の静止画像データに対応する複数の第１画像を含む第２画像が生成される。前記印刷ステップでは、前記第２画像を含む画像がシートに形成される。前記読取ステップでは、前記シートに形成された前記第２画像が読み取られる。前記特定ステップでは、前記読取ステップで読み取られる前記第２画像に含まれる前記第１画像各々に対応する前記静止画像データが特定される。前記取得ステップでは、前記特定ステップで特定される前記静止画像データに応じた区間の動画像データが取得される。
【発明の効果】
【００１０】
本発明によれば、シートに形成された画像に基づいて動画像データを取得することが可能な動画像処理システム、画像形成装置、動画像取得プログラム、及び動画像処理方法が提供される。
【図面の簡単な説明】
【００１１】
【図１】図１は、本発明の実施形態に係る動画像処理システムの構成の一例を示す図である。
【図２】図２は、本発明の実施形態に係る画像形成装置のシステム構成の一例を示すブロック図である。
【図３】図３は、本発明の実施形態に係る動画像取得装置のシステム構成の一例を示すブロック図である。
【図４】図４は、本発明の実施形態に係る画像形成装置において動画像データから静止画像データを抽出する方法の一例を示す図である。
【図５】図５は、本発明の実施形態に係る画像形成装置で生成される第２画像の一例を示す図である。
【図６】図６は、本発明の実施形態に係る画像形成装置で生成される第２画像における第１画像の配置方法の一例を示す図である。
【図７】図７は、本発明の実施形態に係る画像形成装置で生成される第２画像の一例を示す図である。
【図８】図８は、本発明の実施形態に係る画像形成装置において第２画像を生成する際に使用される参照画像の一例を示す図である。
【図９】図９は、本発明の実施形態に係る画像形成装置から出力されるシートＣ１の一例を示す図である。
【図１０】図１０は、本発明の実施形態に係る画像形成装置において実行される画像形成処理の手順の一例を示すフローチャートである。
【図１１】図１１は、本発明の実施形態に係る動画像取得装置において実行される動画像取得処理の手順の一例を示すフローチャートである。
【図１２】図１２は、本発明の実施形態に係る画像形成装置から出力されるシートＣ１の一例を示す図である。
【発明を実施するための形態】
【００１２】
以下添付図面を参照しながら、本発明の実施形態について説明し、本発明の理解に供する。なお、以下の実施形態は、本発明を具体化した一例であって、本発明の技術的範囲を限定するものではない。
【００１３】
［動画像処理システムの構成］
図１に示されるように、本発明の実施形態に係る動画像処理システム１は、画像形成装置１０、動画像取得装置２０、及びサーバー装置３０を備える。画像形成装置１０は、電話回線、インターネット、ＬＡＮなどの通信網Ｎ１を介してサーバー装置３０と通信可能である。同様に、動画像取得装置２０も、通信網Ｎ１を介してサーバー装置３０と通信可能である。
【００１４】
［画像形成装置の構成］
図２に示されるように、画像形成装置１０は、操作表示部１１、ＡＤＦ（Auto Document Feeder）１２、画像読取部１３、画像形成部１４、通信Ｉ／Ｆ１５、記憶部１６、及び制御部１７を備える。具体的に、画像形成装置１０は、プリンター機能、スキャナー機能、コピー機能、及びファクシミリ機能を有する複合機である。なお、本発明は、複合機に限らず、コピー機、プリンター、ファクシミリ装置のような任意の画像形成装置に適用可能である。
【００１５】
操作表示部１１は、情報を表示する液晶ディスプレーなどの表示部と、ユーザー操作を受け付けるタッチパネル及び操作ボタンなどの操作部とを備える。
【００１６】
ＡＤＦ１２は、原稿セット部、搬送ローラー、原稿押さえ、及び排紙部を備え、画像読取部１３の読み取り対象となる原稿を搬送する自動原稿搬送装置である。
【００１７】
画像読取部１３は、原稿台、光源、ミラー、光学レンズ、及びＣＣＤ（Charge Coupled Device）を備え、原稿の画像を読み取って画像データとして出力することが可能である。
【００１８】
画像形成部１４は、電子写真方式又はインクジェット方式で画像データに基づく印刷処理を実行することが可能であり、前記画像データに基づいてシート上に画像を形成する。例えば、画像形成部１４が電子写真方式の画像形成部である場合、画像形成部１４は、感光体ドラム、帯電器、露光装置、現像装置、転写装置、定着装置などを備える。
【００１９】
通信Ｉ／Ｆ１５は、通信網Ｎ１を介して、外部のファクシミリ装置又はパーソナルコンピューターなどの情報処理装置との間で所定の通信プロトコルに従った通信処理を実行することが可能な通信インターフェイスである。
【００２０】
記憶部１６は、ハードディスク又はＥＥＰＲＯＭ（登録商標）などの不揮発性の記憶部である。記憶部１６には、制御部１７によって実行される各種の制御プログラム、及び各種のデータなどが記憶される。記憶部１６には、後述する動画像データも記憶される。
【００２１】
制御部１７は、ＣＰＵ、ＲＯＭ、及びＲＡＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、前記ＣＰＵが実行する各種の処理の一時記憶メモリー（作業領域）として使用される揮発性又は不揮発性の記憶部である。
【００２２】
具体的に、制御部１７は、抽出処理部１７１、生成処理部１７２、印刷制御部１７３、及びアップロード処理部１７４を含む。なお、制御部１７は、前記制御プログラムに従って各種の処理を実行することによりこれらの各処理部として機能する。また、制御部１７は、これらの各処理部の一部又は複数の処理機能を実現する電子回路を備えるものであってもよい。
【００２３】
ところで、動画像データから抽出される複数の静止画像をインデックス画像としてシートに形成することが可能な画像処理装置が知られている。しかしながら、前記画像処理装置では、シートに印刷されたインデックス画像に基づいて動画像データを取得することはできない。これに対して、本実施形態に係る動画像処理システム１によれば、シートに形成された画像に基づいて動画像データを取得することが可能である。
【００２４】
抽出処理部１７１は、動画像データから複数の静止画像データＦ１を抽出する。前記動画像データは、記憶部１６に予め記憶されている動画像データであってもよいし、通信Ｉ／Ｆ１５を通じて外部の装置から受信された動画像データであってもよい。抽出処理部１７１は、予め定められた抽出条件に従って、前記動画像データから複数の静止画像データＦ１を抽出する。例えば、抽出処理部１７１は、図４に示されるように、前記動画像データに含まれる複数のフレームから、予め定められたフレーム数（例えば１０フレーム）ごとに１フレームの抽出間隔で、静止画像データＦ１（フレーム）を抽出してもよい。なお、図４に示されている「１」、「１１」、「２１」、「３１」、「４１」、「５１」、「６１」、「７１」の数字は、各静止画像データＦ１に対応するフレームのフレーム番号を示している。なお、前記抽出条件は、前記動画像データの特徴（例えば、時間長、総フレーム数、フレームレートなど）に応じて自動的に決定又は変更されてもよいし、ユーザー操作に応じて決定又は変更されてもよい。
【００２５】
生成処理部１７２は、抽出処理部１７１により抽出される複数の静止画像データＦ１に基づいて、当該複数の静止画像データＦ１に対応する複数の第１画像Ｐ１を含む第２画像Ｐ２（図５参照）を生成する。第１画像Ｐ１は、例えば、前記静止画像データＦ１に対応するフレームを縮小した縮小画像である。第２画像Ｐ２は、例えば、図５に示されるように、複数の第１画像Ｐ１をタイル状に配置したコラージュ画像である。生成処理部１７２は、図６に示されるように、第２画像Ｐ２において、前記動画像データにおける前記複数の静止画像データＦ１の並び順と同じ並び順で、当該複数の静止画像データＦ１に対応する複数の第１画像Ｐ１を配置してもよい。なお、図６に示されている「１」、「１１」、「２１」、「３１」、「４１」、「５１」、「６１」、「７１」、・・・の数字は、各第１画像Ｐ１に対応するフレームのフレーム番号を示している。
【００２６】
なお、第２画像Ｐ２は、図７に示されるように、タイル状に配置された複数の第１画像Ｐ１が全体として特定の画像（例えば、星、風船、誕生日ケーキ、ペンギンなどの画像）を示すモンタージュ画像であってもよい。例えば、生成処理部１７２は、図８に示されるような参照画像Ｐｒに基づいて、前記モンタージュ画像を生成してもよい。この場合、生成処理部１７２は、参照画像Ｐｒの各部分の色と第１画像Ｐ１各々の色とを比較し、参照画像Ｐｒの各部分の色に近い色の第１画像Ｐ１を、参照画像Ｐｒの各部分に対応する第２画像Ｐ２上の位置に配置してもよい。もしくは、生成処理部１７２は、図６に示されるようにフレーム番号の順番に従って配置された第１画像Ｐ１各々の色を、参照画像Ｐｒにおける対応する部分の色に近づけるように変更して、前記モンタージュ画像を生成してもよい。なお、参照画像Ｐｒは、ユーザー操作に応じて選択される任意の画像であってもよい。なお、生成処理部１７２における前記モンタージュ画像の生成手法として、公知の任意の手法を採用することができる。
【００２７】
なお、第２画像Ｐ２には、当該第２画像Ｐ２に含まれる第１画像Ｐ１各々に対応する静止画像データＦ１を識別する静止画像識別情報が含まれてもよい。前記静止画像識別情報は、第１画像Ｐ１各々に対応する静止画像データＦ１を一意に特定することが可能な任意の情報（例えば、数字、コードなど）であればよい。例えば、前記静止画像識別情報は、複数の第１画像Ｐ１に対応する複数の静止画像データＦ１に対して振られる連番であってもよい。もしくは、前記静止画像識別情報は、第１画像Ｐ１各々に対応する静止画像データＦ１のフレーム番号であってもよい。
【００２８】
生成処理部１７２は、第２画像Ｐ２に含まれる個々の第１画像Ｐ１内に、対応する前記静止画像識別情報を配置する。例えば、生成処理部１７２は、第２画像Ｐ２に含まれる個々の第１画像Ｐ１内に、対応する前記静止画像識別情報を、視認不可能又は視認困難な態様で配置してもよい。例えば、生成処理部１７２は、公知の任意の電子透かし技術を用いて、前記静止画像識別情報を視認不可能又は視認困難な態様で、前記第１画像Ｐ１内に配置してもよい。これにより、第１画像Ｐ１の視認性を妨げることなしに、前記第１画像Ｐ１内に前記静止画像識別情報を配置することができる。
【００２９】
印刷制御部１７３は、画像形成部１４を制御して、第２画像Ｐ２を含む画像を紙などのシートＣ１に形成する（図９参照）。この結果、例えば図９に示されるようなシートＣ１が画像形成装置１０から出力される。
【００３０】
アップロード処理部１７４は、通信Ｉ／Ｆ１５及び通信網Ｎ１を通じて、前記動画像データをサーバー装置３０にアップロードする。このとき、前記動画像データに加えて、前記静止画像識別情報が、対応するフレームと関連付けられた状態で、サーバー装置３０にアップロードされてもよい。もしくは、前記静止画像識別情報が付加された前記動画像データがサーバー装置３０にアップロードされてもよい。
【００３１】
［動画像取得装置の構成］
図３に示されるように、動画像取得装置２０は、操作表示部２１、カメラ２２、通信Ｉ／Ｆ２３、記憶部２４、及び制御部２５を備える。動画像取得装置２０は、例えば、スマートフォン、タブレット端末のような携帯型の情報処理装置である。
【００３２】
操作表示部２１は、情報を表示する液晶ディスプレーなどの表示部と、ユーザー操作を受け付けるタッチパネル及び操作ボタンなどの操作部とを備える。
【００３３】
カメラ２２は、レンズ及び撮像素子等を有し、撮像素子に入射される光に応じたデジタル画像データを出力する。
【００３４】
通信Ｉ／Ｆ２３は、無線通信可能な通信インターフェースであって、例えばインターネットのような通信網Ｎ１を介してサーバー装置３０との間で所定の通信プロトコルに従った通信処理を実行することが可能な通信インターフェイスである。
【００３５】
記憶部２４は、ハードディスク又はＥＥＰＲＯＭ（登録商標）などの不揮発性の記憶部である。記憶部２４には、制御部２５によって実行される各種の制御プログラム、及び各種のデータなどが記憶される。記憶部２４には、制御部２５に後述する動画像取得処理を実行させるための動画像取得プログラムも記憶される。
【００３６】
制御部２５は、ＣＰＵ、ＲＯＭ、及びＲＡＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、前記ＣＰＵが実行する各種の処理の一時記憶メモリー（作業領域）として使用される揮発性又は不揮発性の記憶部である。
【００３７】
具体的に、制御部２５は、読取処理部２５１、特定処理部２５２、及び取得処理部２５３を含む。なお、制御部２５は、前記動画像取得プログラムに従って各種の処理を実行することによりこれらの各処理部として機能する。また、制御部２５は、これらの各処理部の一部又は複数の処理機能を実現する電子回路を備えるものであってもよい。
【００３８】
読取処理部２５１は、画像形成装置１０から出力されたシートＣ１（図９参照）に形成された第２画像Ｐ２を読み取る。具体的に、読取処理部２５１は、カメラ２２で撮影されたシートＣ１の画像から第２画像Ｐ２を読み取る。
【００３９】
特定処理部２５２は、読取処理部２５１により読み取られる第２画像Ｐ２に含まれる第１画像Ｐ１各々に対応する静止画像データＦ１を特定する。例えば、特定処理部２５２は、読取処理部２５１により読み取られる第２画像Ｐ２に含まれる前記静止画像識別情報に基づいて、第２画像Ｐ２に含まれる第１画像Ｐ１各々に対応する静止画像データＦ１を特定する。
【００４０】
取得処理部２５３は、特定処理部２５２により特定される静止画像データＦ１に応じた区間の動画像データを取得する。具体的に、取得処理部２５３は、無線通信を通じてサーバー装置３０から前記動画像データを取得する。例えば、フレーム番号が「１」のフレームに対応する静止画像識別情報が第２画像Ｐ２から検出された場合、取得処理部２５３は、フレーム番号が「１」〜「１０」のフレームで構成される区間の動画像データを取得する。同様に、フレーム番号が「１１」のフレームに対応する静止画像識別情報が第２画像Ｐ２から検出された場合、取得処理部２５３は、フレーム番号が「１１」〜「２０」のフレームで構成される区間の動画像データを取得する。さらに、フレーム番号が「２１」のフレームに対応する静止画像識別情報が第２画像Ｐ２から検出された場合、取得処理部２５３は、フレーム番号が「２１」〜「３０」のフレームで構成される区間の動画像データを取得する。
【００４１】
この結果、動画像取得装置２０において、例えば図９に示されるシートＣ１に形成された第２画像Ｐ２が読み取られると、結果として、元の動画像データ全体がサーバー装置３０から取得されることになる。なお、図１２における黒塗り領域Ａ１内の第１画像Ｐ１のように、第２画像Ｐ２に含まれる一又は複数の第１画像Ｐ１が黒のマーカーで塗りつぶされている場合には、当該第１画像Ｐ１内の静止画像識別情報を検出することができない。この場合、取得処理部２５３は、黒塗り領域Ａ１外の第１画像Ｐ１に対応する区間の動画像データのみをサーバー装置３０から取得することになる。例えば、図１２に示される第２画像Ｐ２に含まれる第１画像Ｐ１各々に対応するフレーム番号が、図６に示されるフレーム番号である場合、図１２に示されるシートＣ１では、フレーム番号が「３２１」のフレームに対応する第１画像Ｐ１からフレーム番号が「５２１」のフレームに対応する第１画像Ｐ１までが黒塗りされている。この場合、取得処理部２５３は、フレーム番号が「１」〜「３２０」の区間の動画像データと、フレーム番号が「５３１」以降の区間の動画像データとをサーバー装置３０から取得する。
【００４２】
このようにしてサーバー装置３０から取得された動画像データは、前記ＲＡＭ又は記憶部２４に記憶され、必要に応じて自動的に再生される。なお、図１２に示されるシートＣ１に基づいて、フレーム番号が「１」〜「３２０」の区間の動画像データと、フレーム番号が「５３１」以降の区間の動画像データとがサーバー装置３０から取得された場合は、フレーム番号が「１」〜「３２０」の区間の動画像データとフレーム番号が「５３１」以降の区間の動画像データとが１つの動画像データに合成されて、前記ＲＡＭ又は記憶部２４に記憶されてもよい。
【００４３】
［画像形成処理］
次に、図１０を参照しつつ、画像形成装置１０の制御部１７によって実行される画像形成処理の手順の一例について説明する。ここで、ステップＳ１１，Ｓ１２，・・・は、制御部１７により実行される処理手順（ステップ）の番号を表している。なお、前記画像形成処理は、例えば、操作表示部１１に対する特定の操作（例えば、前記画像形成処理を開始するための操作キーの操作）に応じて開始される。
【００４４】
＜ステップＳ１１＞
まず、ステップＳ１１において、制御部１７は、予め定められた抽出条件に従って、動画像データ（例えば、操作表示部１１を介してユーザーによって指定された動画像データ）から複数の静止画像データＦ１を抽出する。当該ステップＳ１１の処理は、制御部１７の抽出処理部１７１により実行される。当該ステップＳ１１は、本発明の抽出ステップの一例である。
【００４５】
＜ステップＳ１２＞
ステップＳ１２において、制御部１７は、前記ステップＳ１１で抽出された複数の静止画像データＦ１に基づいて第２画像Ｐ２を生成する。例えば、制御部１７は、前記ステップＳ１１で抽出された静止画像データＦ１ごとに、当該静止画像データＦ１に対応するフレームを縮小した第１画像Ｐ１を生成する。そして、制御部１７は、電子透かしの技術を用いて、第１画像Ｐ１内に前記静止画像識別情報を配置する。そして、制御部１７は、複数の第１画像Ｐ１をタイル状に配置して第２画像Ｐ２を生成する。当該ステップＳ１２の処理は、制御部１７の生成処理部１７２により実行される。当該ステップＳ１２は、本発明の生成ステップの一例である。
【００４６】
＜ステップＳ１３＞
ステップＳ１３において、制御部１７は、第２画像Ｐ２を含む画像をシートＣ１に形成する。例えば、制御部１７は、予め用意されたテンプレート画像、又はユーザが作成した文書の画像に、前記ステップＳ１２で生成された第２画像Ｐ２を合成した画像データを生成する。そして、制御部１７は、当該画像データに基づいて画像形成部１４を制御して、図９に示されるような画像をシートＣ１に形成する。こうして、図９に示されるようなシートＣ１が画像形成装置１０から出力される。当該ステップＳ１３の処理は、制御部１７の印刷制御部１７３により実行される。当該ステップＳ１３は、本発明の印刷ステップの一例である。
【００４７】
＜ステップＳ１４＞
ステップＳ１４において、制御部１７は、通信Ｉ／Ｆ１５及び通信網Ｎ１を通じて、前記動画像データをサーバー装置３０にアップロードする。当該ステップＳ１４の処理は、制御部１７のアップロード処理部１７４により実行される。
【００４８】
前記ステップＳ１３において画像形成装置１０から出力されたシートＣ１は、所望の相手に手渡し又は送付される。
【００４９】
［動画像取得処理］
次に、図１１を参照しつつ、動画像取得装置２０の制御部２５によって実行される動画像取得処理の手順の一例について説明する。ここで、ステップＳ２１，Ｓ２２，・・・は、制御部２５により実行される処理手順（ステップ）の番号を表している。なお、前記動画像取得処理は、例えば、操作表示部２１に対する特定の操作（例えば、前記動画像取得プログラムに対応するアイコンの操作）に応じて開始される。前記特定の操作は、例えば、画像形成装置１０から出力されたシートＣ１を受け取ったユーザーによって行われる。
【００５０】
＜ステップＳ２１＞
まず、ステップＳ２１において、制御部２５は、カメラ２２による撮影画像を取得する。例えば、制御部２５は、第２画像Ｐ２が形成されたシートＣ１をカメラ２２で撮影するようにユーザーに促すメッセージを操作表示部２１に表示させる。そして、カメラ２２で撮影された撮影画像を取得する。当該ステップＳ２１の処理は、制御部２５の読取処理部２５１により実行される。当該ステップＳ２１は、本発明の読取ステップの一例である。
【００５１】
＜ステップＳ２２＞
ステップＳ２２において、制御部２５は、前記ステップＳ２１で取得された撮影画像を分析して、当該撮影画像から前記静止画像識別情報を検出する。これにより、シートＣ１に形成された第２画像Ｐ２に含まれる第１画像Ｐ１各々に対応する静止画像データＦ１が特定される。当該ステップＳ２２の処理は、制御部２５の特定処理部２５２により実行される。当該ステップＳ２２は、本発明の特定ステップの一例である。
【００５２】
＜ステップＳ２３＞
ステップＳ２３において、制御部２５は、前記ステップＳ２２で検出された静止画像識別情報に対応する区間の動画像データをサーバー装置３０から取得する。例えば、制御部２５は、前記ステップＳ２２で検出された静止画像識別情報（例えば、フレーム番号など）をサーバー装置３０に送信する。そして、前記サーバー装置３０は、動画像取得装置２０から受信した静止画像識別情報に対応する区間の動画像データを動画像取得装置２０に送信する。なお、前記サーバー装置３０は、動画像取得装置２０から受信される静止画像識別情報各々に対応する区間の動画像データを動画像取得装置２０に順次に送信してもよいし、それらの動画像データを１つに合成した動画像データを動画像取得装置２０に送信してもよい。当該ステップステップ２３で取得された動画像データは、前記ＲＡＭ又は記憶部２４に記憶される。当該ステップＳ２３の処理は、制御部２５の取得処理部２５３により実行される。当該ステップＳ２３は、本発明の取得ステップの一例である。
【００５３】
なお、前記ステップＳ２３で制御部２５がサーバー装置３０にアクセスする際に用いられるサーバー装置３０のアドレス情報（例えば、ＩＰアドレス、ＵＲＬなど）は、記憶部２４に予め記憶されていてもよいし、シートＣ１から読み取られてもよい。例えば、前記ステップＳ１３においてシートＣ１に前記アドレス情報が印刷され、制御部２５は、シートＣ１から前記アドレス情報を検出してもよい。なお、前記アドレス情報は、バーコード又は二次元コードとしてシートＣ１に印刷されてもよい。
【００５４】
＜ステップＳ２４＞
ステップＳ２４において、制御部２５は、前記ステップＳ２３で取得された動画像データに基づいて動画像を再生する。これにより、前記ステップＳ２３で取得された動画像データに基づく動画像が操作表示部２１に表示される。なお、当該ステップＳ２４の処理は、前記動画像取得プログラムとは別のアプリケーションプログラム（例えば、動画像再生プログラム）に基づいて実行されてもよい。
【００５５】
以上のように、本実施形態では、画像形成装置１０において、動画像データから抽出された複数の静止画像データＦ１に対応する複数の第１画像Ｐ１がタイル状に配置された第２画像Ｐ２がシートＣ１に形成される。そして、動画像取得装置２０において、シートＣ１から読み取られた第２画像Ｐ２に基づいて、当該第２画像Ｐ２に含まれる第１画像Ｐ１に対応する区間の動画像データがサーバー装置３０から取得される。よって、本実施形態によれば、シートＣ１に形成された画像に基づいて動画像データを取得することが可能である。
【００５６】
また、本実施形態では、図１２に示されるように黒塗りされた第１画像Ｐ１に対応する区間の動画像データについては、サーバー装置３０から取得されない。よって、本実施形態によれば、シートＣ１に印刷された複数の第１画像Ｐ１のうち、不要な区間に対応する第１画像Ｐ１を黒塗り（又はハサミなどでカットして除去）することにより、動画像取得装置２０に、必要な区間の動画像データだけを簡単に取得させることができる。例えば、同一の第２画像Ｐ２を複数のシートＣ１に形成した後に、シートＣ１ごとに異なる第１画像Ｐ１を予め黒塗りして、それぞれのシートＣ１を別々の相手に送付してもよい。これにより、サーバー装置３０にアップロードされた共通の動画像データから、シートＣ１の送付先の動画像取得装置２０ごとに異なる区間の動画像データを取得させることができる。
【００５７】
また、本実施形態では、図６に示されるように、第２画像Ｐ２において、第１画像Ｐ１がフレーム番号の順番に従って配置される。よって、本実施形態によれば、不要な区間に対応する第１画像Ｐ１を黒塗りする際に、不要な区間に対応する第１画像Ｐ１を見つけ出すこと、及び当該第１画像Ｐ１を黒塗りすることが容易である。
【００５８】
また、本実施形態では、対応するフレームを縮小した縮小画像が第１画像Ｐ１としてシートＣ１に印刷される。よって、本実施形態によれば、シートＣ１を受け取ったユーザーは、サーバー装置３０から動画像データを取得する前に、シートＣ１に印刷されている複数の第１画像Ｐ１の内容に基づいて前記動画像データの大まかな内容を前もって把握することができる。また、シートＣ１を送付する側のユーザーは、不要な区間に対応する第１画像Ｐ１を黒塗りする際に、不要な区間に対応する第１画像Ｐ１を容易に見つけ出すことができる。
【００５９】
［変形例］
なお、本実施形態では、動画像取得装置２０がサーバー装置３０から動画像データを取得するが、本発明はこれに限定されない。他の実施形態では、画像形成装置１０がサーバー装置３０の機能を備えていてもよい。すなわち、動画像取得装置２０が、サーバー装置３０の代わりに画像形成装置１０から動画像データを取得してもよい。
【００６０】
また、本実施形態では、動画像取得装置２０の記憶部２４に前記動画像取得プログラムが予め記憶されているが、本発明はこれに限定されない。他の実施形態では、例えば、前記動画像取得プログラムがサーバー装置３０に保存されており、動画像取得装置２０は、サーバー装置３０から前記動画像取得プログラムを取得してもよい。例えば、前記ステップＳ１３においてシートＣ１にサーバー装置３０のアドレス情報（例えば、ＩＰアドレス、ＵＲＬなど）が印刷され、制御部２５は、シートＣ１から検出されるアドレス情報に基づいてサーバー装置３０にアクセスして前記動画像取得プログラムを取得してもよい。そして、制御部２５は、サーバー装置３０から取得した動画像取得プログラムに基づいて前記動画像取得処理を実行してもよい。
【符号の説明】
【００６１】
１  動画像処理システム
１０  画像形成装置
１１  操作表示部
１２  ＡＤＦ
１３  画像読取部
１４  画像形成部
１５  通信Ｉ／Ｆ
１６  記憶部
１７  制御部
１７１  抽出処理部
１７２  生成処理部
１７３  印刷制御部
１７４  アップロード処理部
２０  動画像取得装置
２１  操作表示部
２２  カメラ
２３  通信Ｉ／Ｆ
２４  記憶部
２５  制御部
２５１  読取処理部
２５２  特定処理部
２５３  取得処理部
３０  サーバー装置
【図１】
2019102961.tif 000003
【図２】
2019102961.tif 000004
【図３】
2019102961.tif 000005
【図４】
2019102961.tif 000006
【図５】
2019102961.tif 000007
【図６】
2019102961.tif 000008
【図７】
2019102961.tif 000009
【図８】
2019102961.tif 000010
【図９】
2019102961.tif 000011
【図１０】
2019102961.tif 000012
【図１１】
2019102961.tif 000013
【図１２】
2019102961.tif 000014